(57)【要約】      （修正有）【課題】水桶の全体を折り畳みまたは広げて使用することができる温度調節可能なポータブル型洗浄機専用の洗浄用折畳式水桶を提供する。【解決手段】上部面が開放した蓋ケース１と係止溝２が設けられた洗浄用水桶外皮３と、ろ過フィルタ４を有するろ過水桶５と、ろ過フィルタ４の底面に接触され、ろ過水桶５から供給される水を加熱するヒータ部６と、洗浄用水桶外皮３の下部に設けられる水桶着座支持部８とを備え、これらの外面の対応する位置に同一形状の折畳線９が形成され、この洗浄用水桶外皮３に挿入収納されたろ過水桶５と洗浄用水桶外皮３は、折畳線９に沿って折り畳まれたりまたは広げられたりし、洗浄用水桶外皮３の底面に設けられる水桶着座支持部８の内部に連結されるヒータ電気線１２とセンサ線１６は、電源／温度調節ボックス１７に連結されてなる。【選択図】図１
0003124268.tif 000002
【実用新案登録請求の範囲】
【請求項１】
大腸または膣の内部を洗浄する洗浄機に洗浄用水を供給するために、上部面が開放した蓋ケースと係止溝が設けられた洗浄用水桶外皮と、前記洗浄用水桶外皮の内部に挿着または分離可能なろ過フィルタを有するろ過水桶と、前記ろ過フィルタの底面に接触され、ろ過水桶から供給される水を加熱するヒータ部と、洗浄機の洗浄用水供給ホースと連結されるドレイン通路とを有し、前記洗浄用水桶外皮の下部に設けられる水桶着座支持部とを備えるポータブル型洗浄機の洗浄用水桶において、
前記洗浄用水桶外皮とろ過水桶は可撓性の合成樹脂からなり、これらの外面の対応する位置に同一形状の折畳線が形成され、この洗浄用水桶外皮に挿入着座されたろ過水桶と洗浄用水桶外皮は、前記折畳線に沿って折り畳まれたりまたは広げられたりし、前記洗浄用水桶外皮の底面に設けられる水桶着座支持部の内部に連結されるヒータ電気線とセンサ線は、電源／温度調節ボックスに連結されてなることを特徴とする温度調節可能なポータブル型洗浄機の折畳式水桶。
【請求項２】
前記洗浄用水桶外皮とろ過水桶に形成された折畳線は、水平折畳線ａと、垂直折畳線と、この垂直折畳線に連結される分岐折畳線とで形成されることを特徴する請求項１に記載の温度調節可能なポータブル型洗浄機の折畳式水桶。
【請求項３】
前記洗浄用水桶外皮の下部に設けられる水桶着座支持部が、ハードケースからなり、その内部に温度センサと、バイメタルと、水位センサと、ヒータ部を取り囲む断熱材とが内蔵され、銀板の下部に取り付けられ、ヒータ電気線に連結されるヒータ部の発熱を外部に放出する熱排出孔が形成されていることを特徴とする請求項１又は２に記載の温度調節可能なポータブル型洗浄機の折畳式水桶。
【請求項４】
前記水桶着座支持部の内部に設置される温度センサとバイメタルと水位センサとに連結されるセンサ線とヒータ電気線は、パワープラグを備えた電源／温度調節ボックスに連結され、この電源／温度調節ボックスには、電源スイッチと、温度増減スイッチと、温度設定が表示される温度ゲージ窓とが設置されていることを特徴とする請求項１に記載の温度調節可能なポータブル型洗浄機の折畳式水桶。
【考案の詳細な説明】
【技術分野】
【０００１】
本考案は、人間の大腸内に付着した宿便、または女性の膣内の付着物や残留物を洗浄するポータブル型洗浄機の洗浄用水桶の改良に関し、特に、洗浄機に供給される洗浄用水中からの不純物の除去と、洗浄用水を一定の温度に維持して無害な状態での身体への供給が可能であるだけでなく、保管及び携帯の便宜性のために、水桶を折り畳みまたは広げて使用することができる温度調節可能なポータブル型洗浄機の折畳式水桶に関する。
【背景技術】
【０００２】
周知のように、人間の大腸は、水分を調節し,電解質を維持し、細菌作業により摂取した飲食物を便にする機能を有するが、このような機能が充分に発揮されなければ、体内に有害成分と毒素が蓄積され、腸が麻痺し、老化血管の破裂乃至膨張のために、結局、大腸癌、大腸炎、過敏性症候群、大腸潰瘍、痔疾のような腸疾患はもとより、便秘、下痢、消化不良、細い便、下腹部ガス滿など、各種の腸疾患と細菌の温床となることが実状である。
したがって、腸内に老廃物が溜まると、腸が麻痺し、腸機能の障害、皮膚老化などの各種の疾病の原因となるので、このような原因を根本的に解決するために、腸洗浄機を用いた洗浄により、腸の老廃物を除去して、各種の腸疾患を予防しているが、これらの腸洗浄機は、腸内の宿便による毒素を除去し、様々な腸疾患の予防と治療に優れた効果を示し、広く活用されている。このような腸洗浄機としては、本出願人により、韓国登録実用新案第３３８，１４６号及び第３４２，５７０号として提案され登録されたポータブル型洗浄機がある。これらは、使用上の負担感がなく、より簡便かつ便利に使用可能になっている。しかし、このようなポータブル型洗浄機に洗浄用水を供給するときには水入りの容器が用いられるが、この水入り容器は外観が悪く、また供給水に不純物が侵入し易いため衛生的にも好ましくなかった。
また、使用者も負担感を感じるなどの問題点があり、旅行などにおいて携帯使用し難く、しかも、水入り容器を使用することが複雑かつ不便であった。
【特許文献１】韓国登録実用新案第３３８，１４６号
【特許文献２】韓国登録実用新案第３４２，５７０号
【考案の開示】
【考案が解決しようとする課題】
【０００３】
本考案は、上記の従来問題点を解決するためのもので、その目的は、患者または使用者が、大腸または膣の内部を洗浄する際に使用するポータブル型洗浄機に供給される洗浄用水中の不純物の除去と、注入される水の適切な温度調節が可能であり、保管及び携帯の便宜性のために、水桶の全体を折り畳みまたは広げて使用することができる温度調節可能なポータブル型洗浄機専用の洗浄用折畳式水桶を提供することにある。
【課題を解決するための手段】
【０００４】
上記目的を達成すべく、本考案に係る温度調節可能なポータブル型洗浄機の折畳式水桶は、大腸または膣の内部を洗浄する洗浄機に洗浄用水を供給するために、上部面が開放した蓋ケースと係止溝が設けられた洗浄用水桶外皮と、該洗浄用水桶外皮の内部に挿着または分離可能なろ過フィルタを有するろ過水桶と、該ろ過フィルタの底面に接触され、ろ過水桶から供給される水を加熱するヒータ部と、洗浄機の洗浄用水供給ホースと連結されるドレイン通路とを有し、前記洗浄用水桶外皮の下部に設けられる水桶着座支持部とを備えるポータブル型洗浄機の洗浄用水桶において、前記洗浄用水桶外皮とろ過水桶は可撓性の合成樹脂材質からなり、これらの外面の対応する位置に同一形状の折畳線が形成され、この洗浄用水桶外皮に挿入収納されたろ過水桶と洗浄用水桶外皮は、前記折畳線に沿って折り畳まれたりまたは広げられたりし、前記洗浄用水桶外皮の底面に設けられる水桶着座支持部の内部に連結されるセンサ線とヒータ電気線は、電源／温度調節ボックスに連結されてなることを特徴とする。
【考案の効果】
【０００５】
本考案に係る温度調節可能なポータブル型洗浄機の折畳式水桶によれば、供給される水をろ過及び殺菌処理しながら、適切な温度で大腸または膣の内部を洗浄することができるだけでなく、携帯及び保管が容易であると共に、ポータブル型洗浄機の専用水桶として、その機能を果たすことができるという利点がある。
【考案を実施するための最良の形態】
【０００６】
以下、本考案の好ましい実施の形態を、添付図面に基づき詳細に説明する。
図１及び図２は、本考案に係る温度調節可能なポータブル型洗浄機の折畳式水桶において、ろ過水桶を持ち上げた状態を示す斜視図であり、図３は、図２のＡ方向からみた正面図であり、図４は、図３のＩ−Ｉ線による断面図である。
本考案は、大腸または膣の内部を洗浄する洗浄機１００に洗浄用水を供給するために、上部面が開放した蓋ケース１と係止溝２が設けられた洗浄用水桶外皮３と、洗浄用水桶外皮３の内部に挿着または分離可能なろ過フィルタ４を有するろ過水桶５と、ろ過フィルタ４の底面に接触され、ろ過水桶５から供給される水を加熱するヒータ部６と、洗浄機１００から延びる洗浄用水供給ホース１０１と連結されるドレイン通路７とを有し、洗浄用水桶外皮３の下部に設けられる水桶着座支持部８とを備えるポータブル型洗浄機の洗浄用水桶において、洗浄用水桶外皮３とろ過水桶５は可撓性の合成樹脂からなり、これらの外面の対応する位置に同一形状の折畳線９が形成され、この洗浄用水桶外皮３に挿入収納されたろ過水桶５と洗浄用水桶外皮３は、各折畳線９に沿って折り畳まれたりまたは広げられる。洗浄用水桶外皮３の底面に設けられる水桶着座支持部８の内部に連結されるヒータ電気線１２とセンサ線１６は、電源／温度調節ボックス１７に連結されてなる。
洗浄用水桶外皮３とろ過水桶５に形成された折畳線９は、水平折畳線９ａと、垂直折畳線９ｂと、この垂直折畳線９ｂに連結される分岐折畳線９ｃとで形成されている。
【０００７】
また、洗浄用水桶外皮３の下部に設けられる水桶着座支持部８は、ハードケース１０からなり、その内部に設置される温度センサ１８と、バイメタル１９と、水位センサ２０と、ヒータ部６を取り囲む断熱材１１とが内蔵され、銀板１４の下部に取り付けられ、ヒータ電気線１２に連結されるヒータ部６の発熱を外部に放出する熱排出孔１３が形成されており、ろ過フィルタ４を通った水の有害菌を殺菌する銀板１４が底部に内蔵されている。
また、水桶着座支持部８の内部に設置される温度センサ１８とバイメタル１９と水位センサ２０とに連結されるセンサ線１６とヒータ電気線１２は、パワープラグ２１を備えた電源／温度調節ボックス１７に連結され、この電源／温度調節ボックス１７には、電源スイッチ２２と、温度増減スイッチ２３と、温度設定が表示される温度ゲージ窓２４とが設置されている（図７）。
また、洗浄用水桶外皮３には、上部開口からその内部にろ過水桶５が挿入収納されたとき、このろ過水桶５の水量を測定する水位レベル目盛線１５が形成されており、その上部周縁に設けられた係止溝２は、本考案の折畳式水桶に水を入れて用いるとき、別途の固定台の係止フックにかけるためのものである（図２）。
なお、図５及び図６は、本考案に係る折畳式水桶を折り畳んだ状態を示す図であって、洗浄用水桶外皮３にろ過水桶５を入れた後、これらに形成された折畳線９に沿って折り畳めばよい。
【０００８】
図８は、本考案の使用状態を示す図であって、水を入れたろ過水桶５を洗浄用水桶外皮３の内部に入れ込み、公知のポータブル型洗浄機１００の洗浄用水供給ホース１０１を水桶着座支持部８のドレイン通路７に連結させた後、電源／温度調節ボックス１７の電源スイッチ２２から電気を供給するとき、温度増減スイッチ２３を用いて適正温度を設定すると、ヒータ部６によって、ろ過水桶５から供給された水が適正温度に加熱され、ドレイン通路７と洗浄用水供給ホース１０１を経て、洗浄機１００のポンプ作用によって、ノズル１０２から供給された洗浄用水を、大腸または膣の内部に供給することができるが、この際、前記洗浄用水供給ホース１０１は、供給される水の流量を、公知の流量調節器１０３を用いて調節することができる。
【図面の簡単な説明】
【０００９】
【図１】本考案に係る温度調節可能なポータブル型洗浄機の折畳式水桶を示す全体斜視図である。
【図２】図１の他の方向からみた本考案に係る温度調節可能なポータブル型洗浄機の折畳式水桶の斜視図である。
【図３】図２のＡ方向からみた正面図である。
【図４】図３のＩ−Ｉ線による断面図である。
【図５】本考案に係る折畳式水桶を折り畳んだ状態を示す平面図である。
【図６】図５の側面図である。
【図７】（Ａ）及び（Ｂ）は、本考案に係る電源／温度調節ボックスの拡大斜視図と内部断面図である。
【図８】本考案の使用状態を示す図である。
【符号の説明】
【００１０】
１  蓋ケース、２  係止溝、３  洗浄用水桶外皮、４  ろ過フィルタ、５  ろ過水桶、６  ヒータ部、７  ドレイン通路、８  水桶着座支持部、９  折畳線、９ａ  水平折畳線、９ｂ  垂直折畳線、９ｃ  分岐折畳線、１０  ハードケース、１１  断熱材、１２  ヒータ電気線、１３  熱排出孔、１４  銀板、１５  水位レベル目盛線、１６  センサ線、１７  電源／温度調節ボックス、１８  温度センサ、１９  バイメタル、２０  水位センサ、２１  パワープラグ、２２  電源スイッチ、２３  温度増減スイッチ、２４  温度ゲージ窓
【図１】
0003124268.tif 000003
【図２】
0003124268.tif 000004
【図３】
0003124268.tif 000005
【図４】
0003124268.tif 000006
【図５】
0003124268.tif 000007
【図６】
0003124268.tif 000008
【図７】
0003124268.tif 000009
【図８】
0003124268.tif 000010